(57)【要約】      （修正有）【課題】無認可スペクトルに関してチャネルラスタを構造化する。【解決手段】キャリア周波数のセットから決定される第１のチャネルラスタパターンを識別する。第１のチャネルラスタパターンは、ワイヤレスワイドエリアネットワーク（ＷＷＡＮ）に関して無認可スペクトル上で使用され、ＷＷＡＮに関する第１のチャネルラスタに対応する。第１のチャネルラスタパターンは、帯域内キャリアアグリゲーションに関するチャネル間隔を有し、ワイヤレスローカルエリアネットワーク（ＷＬＡＮ）に関して無認可スペクトル上で使用される第２のチャネルラスタにアラインされる。第１のチャネルラスタおよび第２のチャネルラスタの各々は、無認可スペクトル上で周波数ステップに関してそれぞれの整数倍を確立する。第１のチャネルラスタパターンを使用して、ＷＷＡＮに関して無認可スペクトル上で周波数走査を実行する。【選択図】図２
2020114001.tif 000002
【特許請求の範囲】
【請求項１】
ワイヤレス通信中の周波数走査のための方法であって、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行することと、
を備える、方法。
【請求項２】
前記第１のチャネルラスタは、ユーザ装置（ＵＥ）またはネットワークエンティティによってサポートされる前記ＷＷＡＮに関して前記無認可スペクトル上のユーザである、請求項１に記載の方法。
【請求項３】
前記第１のチャネルラスタは、キャリアアグリゲーションを使用するＷＷＡＮに関する第１のチャネルラスタパターンに対応する、請求項１に記載の方法。
【請求項４】
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
請求項１に記載の方法。
【請求項５】
前記第１のチャネルラスタパターンは、前記第２のチャネルラスタパターンからオフセットされる、請求項４に記載の方法。
【請求項６】
前記ＷＷＡＮは、ロングタームエボリューション（ＬＴＥ）ネットワークを含む、請求項１に記載の方法。
【請求項７】
前記ＷＬＡＮは、Ｗｉ−Ｆｉネットワークを含む、請求項１に記載の方法。
【請求項８】
キャリア周波数の前記セットは、キャリア周波数の複数のサブセットを含み、
各サブセットは、前記第２のチャネルラスタにおけるキャリア周波数にアラインされ、  各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定される、
請求項１に記載の方法。
【請求項９】
サブセットにおけるキャリア周波数の前記数は５つ（５）であり、サブセットにおけるキャリア周波数間の前記間隔は、１００ｋＨｚである、請求項８に記載の方法。
【請求項１０】
ダウンリンク動作に関して、前記第１のチャネルラスタは、以下の式に基づいて決定されるキャリア周波数を含み、
【数１】
2020114001.tif 000006
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項１に記載の方法。
【請求項１１】
ワイヤレス通信中の周波数走査のための装置であって、
キャリア周波数のセットから決定される第１のチャネルラスタを識別するための手段と、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するための手段と、
を備える、装置。
【請求項１２】
前記第１のチャネルラスタは、ユーザ装置（ＵＥ）またはネットワークエンティティによってサポートされる前記ＷＷＡＮに関して前記無認可スペクトル上のユーザである、請求項１１に記載の装置。
【請求項１３】
前記第１のチャネルラスタは、キャリアアグリゲーションを使用するＷＷＡＮに関する第１のチャネルラスタパターンに対応する、請求項１１に記載の装置。
【請求項１４】
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
請求項１１に記載の装置。
【請求項１５】
ダウンリンク動作に関して、前記第１のチャネルラスタは、以下の式に基づいて決定されるキャリア周波数を含み、
【数２】
2020114001.tif 000007
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項１１に記載の装置。
【請求項１６】
ワイヤレス通信中の周波数走査のためのコンピュータによって実行可能なコードを記憶したコンピュータ読み取り可能な媒体であって、
キャリア周波数のセットから決定される第１のチャネルラスタを識別するためのコードと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するためのコードと、
を備える、コンピュータ読み取り可能な媒体。
【請求項１７】
前記第１のチャネルラスタは、ユーザ装置（ＵＥ）またはネットワークエンティティによってサポートされる前記ＷＷＡＮに関して前記無認可スペクトル上のユーザである、請求項１６に記載のコンピュータ読み取り可能な媒体。
【請求項１８】
前記第１のチャネルラスタは、キャリアアグリゲーションを使用するＷＷＡＮに関する第１のチャネルラスタパターンに対応する、請求項１６に記載のコンピュータ読み取り可能な媒体。
【請求項１９】
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
請求項１６に記載のコンピュータ読み取り可能な媒体。
【請求項２０】
ダウンリンク動作に関して、前記第１のチャネルラスタは、以下の式に基づいて決定されるキャリア周波数を含み、
【数３】
2020114001.tif 000008
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項１６に記載のコンピュータ読み取り可能な媒体。
【請求項２１】
ワイヤレス通信中の周波数走査のための装置であって、
トランシーバと、
データを記憶するように構成されるメモリと、
少なくとも１つのバスを介して前記トランシーバおよび前記メモリに通信的に結合された１つまたは複数のプロセッサと、
を備え、
ここにおいて、前記１つまたは複数のプロセッサおよび前記メモリは、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記トランシーバを介して、前記第１のチャネルラスタを使用して、前記ＷＷＡＮに関して前記無認可スペクトル上で前記周波数走査を実行することと、
を行うように構成される、装置。
【請求項２２】
前記第１のチャネルラスタは、ユーザ装置（ＵＥ）またはネットワークエンティティによってサポートされる前記ＷＷＡＮに関して前記無認可スペクトル上のユーザである、請求項２１に記載の装置。
【請求項２３】
前記第１のチャネルラスタは、キャリアアグリゲーションを使用するＷＷＡＮに関する第１のチャネルラスタパターンに対応する、請求項２１に記載の装置。
【請求項２４】
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
請求項２１に記載の装置。
【請求項２５】
前記第１のチャネルラスタパターンは、前記第２のチャネルラスタパターンからオフセットされる、請求項２４に記載の装置。
【請求項２６】
前記ＷＷＡＮは、ロングタームエボリューション（ＬＴＥ）ネットワークを含む、請求項２１に記載の装置。
【請求項２７】
前記ＷＬＡＮは、Ｗｉ−Ｆｉネットワークを含む、請求項２１に記載の装置。
【請求項２８】
キャリア周波数の前記セットは、キャリア周波数の複数のサブセットを含み、
各サブセットは、前記第２のチャネルラスタにおけるキャリア周波数にアラインされ、  各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定される、
請求項２１に記載の装置。
【請求項２９】
サブセットにおけるキャリア周波数の前記数は５つ（５）であり、サブセットにおけるキャリア周波数間の前記間隔は、１００ｋＨｚである、請求項２８に記載の装置。
【請求項３０】
ダウンリンク動作に関して、前記第１のチャネルラスタは、以下の式に基づいて決定されるキャリア周波数を含み、
【数４】
2020114001.tif 000009
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項２１に記載の装置。
【発明の詳細な説明】
【優先権の主張】
【０００１】
[0001]  本特許出願は、「STRUCTURED CHANNEL RASTERS FOR UNLICENSED SPECTRUM」と題されて２０１５年９月３日に出願された非仮出願第１４／８４４，８８９号、「STRUCTURED CHANNEL RASTERS FOR UNLICENSED SPECTRUM」と題されて２０１４年９月２２日に出願された仮出願第６２／０５３，７５１号、「STRUCTURED CHANNEL RASTERS FOR UNLICENSED SPECTRUM」と題されて２０１４年９月２２日に出願された仮出願第６２／０５３，７４９号に対する優先権を主張し、それらのすべては、本願の譲受人に譲渡され、これにより参照によって本明細書に明示的に組み込まれる。
【背景技術】
【０００２】
[0002]  本開示の態様は、一般に電気通信に関し、より具体的には、無認可スペクトル（unlicensed spectrum）に関する構造化されたチャネルラスタ（structured channel rasters）およびその同等物に関する。
【０００３】
[0003]  ワイヤレス通信ネットワークは、ネットワークのカバレッジエリア内のユーザに様々なタイプのサービス（例えば、音声、データ、マルチメディアサービス等）を提供するために展開され得る。いくつかのインプリメンテーション（implementation）では、１つまたは複数のネットワークエンティティ（例えば、異なるセルに対応する）は、（１つまたは複数の）ネットワークエンティティのカバレッジ内で動作しているユーザ装置（ＵＥ）（例えば、セルフォン）に、ワイヤレス接続性を提供する。いくつかのインプリメンテーションでは、ピアデバイスは、互いに通信するためにワイヤレスを接続的に提供する。
【０００４】
[0004]  ワイヤレス通信ネットワークにおける複数のデバイス間の通信は、干渉にさらされ得る。無認可スペクトルにおける無線周波数（ＲＦ）エネルギの放出は、同じスペクトルにおける信号の受信に干渉し得る。例えば、Ｗｉ−Ｆｉによっても使用されている無認可ＲＦ帯域において通信されるロングタームエボリューション（ＬＴＥ（登録商標））信号は、Ｗｉ−Ｆｉ信号からの著しい干渉を経験し得る。
【０００５】
[0005]  いくつかの事例では、ＬＴＥは、周波数走査（frequency scanning）を実行（perform）するとき、事前に構成されたチャネルラスタ（a pre-configured channel raster）を使用し得る。これは、５ＧＨｚの無認可スペクトルのようなＷｉ−Ｆｉを含む非常に幅の広い無認可スペクトルでＬＴＥが使用されているとき、問題があり得る。発生し得る問題のうちのいくつかは、大きすぎる検索スペース（仮説（hypotheses））を有すること、および／または、シグナリングスペースにおいて発展型ＵＭＴＳ地上波無線アクセス（Ｅ−ＵＴＲＡ：evolved UMTS Terrestrial Radio Access）絶対無線周波数チャネル番号（ＥＡＲＦＣＮ：Absolute Radio Frequency Channel Numbers）（例えば、キャリア周波数シグナリング）を消費しすぎること、を含む。したがって、無認可スペクトルにおけるＬＴＥ展開に関して、異なるチャネルラスタを検討することが望ましい可能性がある。
【発明の概要】
【０００６】
[0006]  以下は、１つまたは複数の態様の基本的な理解を提供するために、そのような態様の簡略化された概要を提示する。この概要は、考慮されるすべての態様の広範な概観ではなく、そしてすべての態様の主要または重要な要素を特定するようにも、任意またはすべての態様の範囲を詳細に叙述するようにも、意図されていない。その唯一の目的は、後に提示されるより詳細な説明への前置きとして、簡略化された形式で１つまたは複数の態様のうちのいくつかの概念を提示することである。
【０００７】
[0007]  一態様によれば、本願の方法は、ユーザ装置（ＵＥ）またはネットワークエンティティの何れかにおける周波数走査に関する。説明される態様は、キャリア周波数のセットから決定される第１のチャネルラスタを識別することを含み、ここにおいて、第１のチャネルラスタは、ワイヤレスワイドエリアネットワーク（ＷＷＡＮ）に関して無認可スペクトル上で使用され、第１のチャネルラスタは、ワイヤレスローカルエリアネットワーク（ＷＬＡＮ）に関して無認可スペクトル上で使用されている第２のチャネルラスタにアラインされる（aligned）。説明される態様は、第１のチャネルラスタを使用して、ＷＷＡＮに関して無認可スペクトル上で周波数走査を実行することをさらに含む。
【０００８】
[0008]  別の態様では、コンピュータによって実行可能なコードを記憶したコンピュータ読み取り可能な媒体が、ＵＥまたはネットワークエンティティの何れかにおける周波数走査に関する。説明される態様は、キャリア周波数のセットから決定される第１のチャネルラスタを識別するためのコードを含み、ここにおいて、第１のチャネルラスタは、ＵＥによってサポートされるＷＷＡＮに関して無認可スペクトル上で使用され、第１のチャネルラスタは、ＷＬＡＮに関して無認可スペクトル上で使用されている第２のチャネルラスタにアラインされる。説明される態様は、第１のチャネルラスタを使用して、ＷＷＡＮに関して無認可スペクトル上で周波数走査を実行するためのコードをさらに含む。
【０００９】
[0009]  さらなる態様では、装置が、ＵＥまたはネットワークエンティティの何れかにおける周波数走査に関する。説明される態様は、キャリア周波数のセットから決定される第１のチャネルラスタを識別するための手段を含み、ここにおいて、第１のチャネルラスタは、ＷＷＡＮに関して無認可スペクトル上で使用され、第１のチャネルラスタは、ＷＬＡＮに関して無認可スペクトル上で使用されている第２のチャネルラスタにアラインされる。説明される態様は、第１のチャネルラスタを使用して、ＷＷＡＮに関して無認可スペクトル上で周波数走査を実行するための手段をさらに含む。
【００１０】
[0010]  別の態様では、装置が、ＵＥまたはネットワークエンティティの何れかにおける周波数走査に関する。説明される態様は、トランシーバと、データを記憶するように構成されるメモリと、少なくとも１つのバスを介してトランシーバおよびメモリに通信的に（communicatively）結合された１つまたは複数のプロセッサとを含み、ここにおいて、１つまたは複数のプロセッサおよびメモリは、キャリア周波数のセットから決定される第１のチャネルラスタを識別するように構成され、第１のチャネルラスタは、ＵＥによってサポートされるＷＷＡＮに関して無認可スペクトル上で使用され、第１のチャネルラスタは、ＷＬＡＮに関して無認可スペクトル上で使用されている第２のチャネルラスタにアラインされる。説明される態様は、トランシーバを介して、第１のチャネルラスタを使用して、ＷＷＡＮに関して無認可スペクトル上で周波数走査を実行することをさらに含む。
【００１１】
[0011]  本開示の様々な態様および特徴は、添付の図面に示されるように、それらの様々な例を参照して以下にさらに詳細に説明される。本開示は、様々な例を参照して以下で説明されるが、本開示はそれらに限定されないことは理解されるべきである。本明細書における教示を入手できる当業者は、追加的なインプリメンテーション、修正、および、例、ならびに他の使用分野を認識することとなり、それらはここに説明される本開示の範囲内にあり、それらに関して本開示は著しく有益であり得る。
【図面の簡単な説明】
【００１２】
[0012]  本開示の特徴、特性、および利点は、同様の参照文字が全体を通した対応を示し、そこで破線がオプションのコンポーネントまたはアクションを示し得る図面と共に考慮されたとき、以下に記載する詳細な説明からより明白になるであろう。
【図１Ａ】[0013]  図１Ａは、ＵＥおよびネットワークエンティティの態様を含む通信ネットワークの概略図であり、それは、本開示の様々な態様による周波数走査のために構成され得る。
【図１Ｂ】図１Ｂは、ＵＥおよびネットワークエンティティの態様を含む通信ネットワークの概略図であり、それは、本開示の様々な態様による周波数走査のために構成され得る。
【図２】[0014]  図２は、本開示の様々な態様による、ＵＥおよびネットワークエンティティにおける無認可スペクトル上での周波数走査の例示的な方法を例示するフローダイアグラムである。
【図３】図３は、本開示の様々な態様による、ＵＥおよびネットワークエンティティにおける無認可スペクトル上での周波数走査の例示的な方法を例示するフローダイアグラムである。
【図４】[0015]  図４は、本開示の様々な態様による、無認可スペクトルにおける周波数走査のための構造化されたチャネルラスタの例を例示する図である。
【図５】[0016]  図５は、本開示の様々な態様による、長期的な時分割多重（ＴＤＭ）通信パターンによる循環セルラ動作（cycling cellular operation）に関するキャリア感知適応送信（ＣＳＡＴ：Carrier Sense Adaptive Transmission）通信スキームのある特定の態様を例示する図である。
【図６】[0017]  図６は、本開示の様々な態様による、ＣＳＡＴサイクル中に構造チャネルラスタを使用するための例示的な状況を例示する図である。
【詳細な説明】
【００１３】
[0018]  添付図面に関連して以下に記載される詳細な説明は、様々な構成の説明として意図されており、ここに説明される概念が実施され得るのはこれらの構成においてのみであることを表すようには意図されていない。詳細な説明は、様々な概念の徹底的な理解を提供することを目的として特定の詳細を含む。しかしながら、これらの概念がこれらの特定の詳細なしに実施され得ることは、当業者に明らかとなる。いくつかの事例では、そのような概念を曖昧にすることを避けるために、周知のコンポーネントはブロック図の形態で示される。一態様では、ここで使用される用語「コンポーネント」は、システムを構成するパーツのうちの１つであり得、またハードウェアまたはソフトウェアであり得、そして複数の他のコンポーネントに分割され得る。
【００１４】
[0019]  本態様は、一般に、無認可または共有スペクトルに関する構造化されたチャネルラスタに関する。一態様では、チャネルラスタは、通信デバイスによって使用されることができるステップまたは周波数である。具体的には、例えば、無認可スペクトルにおいてＬＴＥを使用するとき、１００ｋＨｚのチャネルラスタが使用され得る。しかしながら、このアプローチは、検索スペースが大きすぎる（例えば、検索のために使用される仮説の数が多すぎる）可能性があるので、および／または、そのようなチャネルラスタに基づいた周波数走査はシグナリングスペースにおいてＥＡＲＦＣＮ（例えば、キャリア周波数シグナリング）を消費しすぎる可能性があるので、５ＧＨｚの無認可帯域のような広い範囲のスペクトルについて問題があり得る。したがって、無認可スペクトルにおけるＬＴＥ展開に関して、異なるチャネルラスタ、つまり構造化されたチャネルラスタを検討することが望ましい可能性がある。
【００１５】
[0020]  一態様では、無認可スペクトルにおける関心のあるＬＴＥ展開（an LTE（登録商標） deployment of interest）が、２０ＭＨｚ（他の帯域幅もまた使用され得るが）であると考えると、構造化されたチャネルラスタのための１つのアプローチは、ＬＴＥチャネルラスタを２０ＭＨｚのＷｉ−Ｆｉチャネルにアラインすることであり得、それは、２０ＭＨｚごとの構造化されたチャネルラスタである。これらのキャリア周波数、ＥＡＲＦＣＮ（ｆ１、ｆ２（＝ｆ１＋２０ＭＨｚ）、ｆ３（＝ｆ１＋４０ＭＨｚ）、．．．）に加えて、それらの周波数を中心にして追加的なキャリア周波数を導入する（introduce）ことが望ましい可能性がある。例えば、Ｗｉ−Ｆｉチャネルラスタで使用される第１の周波数（ｆ１）を中心にして、ｆ１−２００ｋＨｚ、ｆ１−１００ｋＨｚ、ｆ１、ｆ１＋１００ｋＨｚ、ｆ１＋２００ｋＨｚ等のような他の周波数が、ＬＴＥチャネルラスタのために導入される。同様に、Ｗｉ−Ｆｉチャネルラスタで使用される第２の周波数（ｆ２）を中心にして、ｆ２−２００ｋＨｚ、ｆ２−１００ｋＨｚ、ｆ２、ｆ２＋１００ｋＨｚ、ｆ２＋２００ｋＨｚ等のような他の周波数が、ＬＴＥチャネルラスタのために導入される。これは、キャリア間隔（the carrier spacing）が３００ｋＨｚの倍数である帯域内隣接キャリアアグリゲーション（ＣＡ）（intra-band contiguous carrier aggregation (CA)）の場合について複数のサブキャリアをアラインすることを可能にすることとなる。
【００１６】
[0021]  したがって、いくつかの態様では、本願の方法および装置は、無認可スペクトルにおけるＬＴＥ展開に関してチャネルラスタを調整することによって、現在の解決策に比べ効率的な解決策を提供し得る。言い換えれば、本態様では、修正されたチャネルラスタが、無認可スペクトルにおいて周波数を走査するために使用され得る。そのようなものとして、本態様は、キャリア周波数のセットから決定される第１のチャネルラスタを識別するための１つまたは複数のメカニズムを提供し、ここにおいて、第１のチャネルラスタは、ＵＥによってサポートされるＷＷＡＮに関して無認可スペクトル上で使用され、第１のチャネルラスタは、ＷＬＡＮに関して無認可スペクトル上で使用されている第２のチャネルラスタにアラインされる（例えば、ある特定の数の周波数が同じである）。一態様では、他のタイプのセルラまたは同様のネットワークもＷＷＡＮと考えられ得るが、ＷＷＡＮは、例えば、ＬＴＥネットワークを例とするセルラネットワークを指す。さらに、本態様はまた、第１のチャネルラスタを使用して、ＷＷＡＮに関して無認可スペクトル上で周波数走査を実行するための１つまたは複数のメカニズムを提供する。
【００１７】
[0022]  チャネルラスタのサイズを調整することに起因する、この減らされたチャネル番号のセット（this reduced set of channel numbers）により、ネットワークエンティティ（例えば、図１Ｂにおけるネットワークエンティティ１２０）によるまたはＵＥ（例えば、図１ＡにおけるＵＥ１１５）による検索スペースは、著しく減らされることができ、およびそれに伴いＥＡＲＦＣＮスペースが節約されることができる。新しく提案されるＥＡＲＦＣＮが、以下の表１に示される。この改訂された提案に基づいて、ＥＡＲＦＣＮは、前の提案に比べて減らされる。帯域番号１２５は、ＵＮＩＩ−１（Unlicensed National Information Infrastructure 1）スペクトル（例えば、５１５０−５２５０ＭＨｚ）に関する帯域に対応する。また、帯域番号１２７は、ＵＮＩＩ−３スペクトル（例えば、５７２５−５８５０ＭＨｚ）に関する帯域に対応する。
【表１】
2020114001.tif 000003
【００１８】
[0023]  帯域番号１２５に関しては、５１６０ＭＨｚにおいてＷｉ−Ｆｉチャネルは存在しない。最初の２０ＭＨｚのＷｉ−Ｆｉチャネルは、５１８０ＭＨｚにおいて始まる。故に、帯域１２５に関する初めの５つのＥＡＲＦＣＮ（６４８３５−６４８３９）は、２０ＭＨｚのＷｉ−Ｆｉチャネルに対応しない。さらに、帯域番号１２７に関して、２０ＭＨｚチャネルの利用可能性が無いことに起因して、ＵＮＩＩ−３の低エッジ（the lower edge）（５７２５−５７３５ＭＨｚ）および高エッジ（the upper edge）（５８３５−５８５０）に対応するＥＡＲＦＣＮは存在しない。ＥＡＲＦＣＮは、以下に説明される新しい式（１）および／または（２）のうちの１つに基づいて、ＦＤＬ＿ｌｏｗ［ＭＨｚ］、ＮＯｆｆｓ−ＤＬ、ＮＤＬの範囲を使用して計算され得る。
【００１９】
[0024]  本開示の複数の態様が、特定の開示された態様を対象とする以下の説明および関連する図に提供される。代替の態様が本開示の範囲から逸脱することなく考案され得る。加えて、本開示の周知の態様は、より関連性のある詳細を曖昧にしないために、詳細には説明されない可能性があるか、または省略され得る。さらに、多くの態様は、例えば、コンピューティングデバイスの複数の要素によって実行されることになる一連のアクションの観点から説明されている。ここに説明される様々なアクションは、特定の回路（例えば、特定用途向け集積回路（ＡＳＩＣ））によって、１つまたは複数のプロセッサにより実行される（executed）プログラム命令によって、またはその両方の組み合せによって、実行されることができることが、認識されることになる。さらに、ここに説明されるこれらの一連のアクションは、実行されると、関連するプロセッサにここに説明された機能性を実行させることになるコンピュータ命令の対応するセットを記憶した任意の形態のコンピュータ読み取り可能な記憶媒体内に、全体が具現化されると考えられることができる。したがって、本開示の様々な態様は、いくつかの異なる形態で具現化され得、それらのすべては、特許請求された主題事項の範囲内にあるものとして考慮されている。加えて、ここに説明された態様の各々に関して、任意のそのような態様の対応する形態は、例えば、説明されるアクションを実行する「ように構成される論理」としてここに説明され得る。
【００２０】
[0025]  図１Ａおよび図１Ｂを参照すると、一態様では、ワイヤレス通信システム１００は、少なくとも１つのネットワークエンティティ１２０の通信カバレッジにおける少なくとも１つのユーザ装置（ＵＥ）１１５を含む。ＵＥ１１５は、ネットワークエンティティ１２０を介してネットワークと通信し得る。ある例では、ＵＥ１１５は、１つまたは複数の通信チャネル１０２を介してネットワークエンティティ１２０にワイヤレス通信を送信し得、および／または、ネットワークエンティティ１２０からワイヤレス通信を受信し得、それらは、限定するわけではないがアップリンクデータチャネルおよび／またはダウンリンクデータチャネルのような、アップリンク通信チャネル（または単にアップリンクチャネル）およびダウンリンク通信チャネル（または単にダウンリンクチャネル）を含み得る。そのようなワイヤレス通信は、限定するわけではないがデータ、オーディオ、および／またはビデオ情報を含み得る。一態様では、ＵＥ１１５および／またはネットワークエンティティ１２０は、１つまたは複数の構造化されたチャネルラスタを使用して、ＷＷＡＮに関して無認可スペクトル上で周波数走査を実行するように構成され得る。
【００２１】
[0026]  図１Ａを参照すると、本開示によれば、ＵＥ１１５は、メモリ４４、１つまたは複数のプロセッサ２０、およびトランシーバ６０を含み得る。メモリ、１つまたは複数のプロセッサ２０、およびトランシーバ６０は、バス１１を介して内部で通信し得る。いくつかの例では、メモリ４４および１つまたは複数のプロセッサ２０は、同じハードウェアコンポーネントの一部であり得る（例えば、同じボード、モジュールまたは集積回路の一部であり得る）。代替的に、メモリ４４および１つまたは複数のプロセッサ２０は、互いに連動（act in conjunction with）し得る別々のコンポーネントであり得る。いくつかの態様では、バス１１は、ＵＥ１１５の複数のコンポーネントおよびサブコンポーネント間でデータを転送する通信システムであり得る。いくつかの例では、１つまたは複数のプロセッサ２０は、モデムプロセッサ、ベースバンドプロセッサ、デジタルシグナルプロセッサおよび／または送信プロセッサのうちの任意の１つまたはそれらの組み合せを含み得る。追加的に、または代替的に、１つまたは複数のプロセッサ２０は、ここに説明された１つまたは複数の方法またはプロシージャを実行（carrying out）するためのチャネルラスタコンポーネント１２５を含み得る。チャネルラスタコンポーネント１２５は、ハードウェア、ファームウェア、および／またはソフトウェアを備え得、メモリ（例えば、コンピュータ読み取り可能な記憶媒体）に記憶された命令を実行（perform）するまたはコードを実行（execute）するように構成され得る。
【００２２】
[0027]  いくつかの例では、ＵＥ１１５は、ここで使用されるデータおよび／またはローカルバージョンのアプリケーションを記憶する等のためのメモリ４４、あるいは１つまたは複数のプロセッサ２０によって実行されるチャネルラスタコンポーネント１２５および／またはそれのサブコンポーネントのうちの１つまたは複数を含み得る。メモリ４４は、ランダムアクセスメモリ（ＲＡＭ）、読み取り専用メモリ（ＲＯＭ）、テープ、磁気ディスク、光ディスク、揮発性メモリ、非揮発性メモリ、およびそれらの任意の組み合せのような、コンピュータまたはプロセッサ２０によって使用可能な如何なるタイプのコンピュータ読み取り可能な媒体も含むことができる。一態様では、例えば、メモリ４４は、コンピュータによって実行可能なコードを記憶するコンピュータ読み取り可能な記憶媒体（例えば、非一時的な媒体）であり得る。コンピュータによって実行可能なコードは、チャネルラスタコンポーネント１２５、および／またはそれのサブコンポーネントのうちの１つまたは複数の、１つまたは複数の動作または機能、および／またはそれに関連するデータを定義し得る。コンピュータによって実行可能なコードは、ＵＥ１１５が、チャネルラスタコンポーネント１２５および／またはそれのサブコンポーネントのうちの１つまたは複数を実行するようにプロセッサ２０を動作させているとき、これらの１つまたは複数の動作または機能を定義し得る。いくつかの例では、ＵＥ１１５は、１つまたは複数のデータおよび制御信号を、ネットワークエンティティ１２０を介してネットワークへ送信するおよび／またはネットワークから受信するためのトランシーバ６０をさらに含み得る。トランシーバ６０は、ハードウェア、ファームウェア、および／またはソフトウェアを備え得、およびメモリ（例えば、コンピュータ読み取り可能な記憶媒体）に記憶された命令を実行するまたはコードを実行するように構成され得る。トランシーバ６０は、モデム１６５を備える第１のＲＡＴ無線１６０およびモデム１７５を備える第２のＲＡＴ無線１７０（例えば、ＬＴＥ無線）を含み得る。一態様では、ワイヤレスローカルエリアネットワーク（ＷＬＡＮ）は、第１のＲＡＴ（例えば、ＷＬＡＮ無線）に対応し得、ワイヤレスワイドエリアネットワーク（ＷＷＡＮ）は、第２のＲＡＴ（例えば、ＷＷＡＮ無線）に対応し得る。第１のＲＡＴ無線１６０および第２のＲＡＴ無線１７０は、ネットワークエンティティ１２０に信号を送信する、および、ネットワークエンティティ１２０から信号を受信するために、１つまたは複数のアンテナ６４を利用し得る。トランシーバ６０は、モデム１６５を備える第１のＲＡＴ無線１６０およびモデム１７５を備える第２のＲＡＴ無線１７０（例えば、ＬＴＥ無線）を含み得る。第１のＲＡＴ無線１６０および第２のＲＡＴ無線１７０は、ネットワークエンティティ１１０および／または１１１に信号を送信する、および、ネットワークエンティティ１１０および／または１１１から信号を受信するために、１つまたは複数のアンテナ６４を利用し得る。
【００２３】
[0028]  ＵＥ１１５（またはシステム１００における任意の他のデバイス）が所与のリソース上で通信するために第１のＲＡＴを使用するとき、この通信は、そのリソース上で通信するために第２のＲＡＴを使用する近くのデバイス（nearby devices）からの干渉にさらされ得る。例えば、特定の無認可無線周波数（ＲＦ）帯域上で第２のＲＡＴ無線１７０を使用するＬＴＥを介したネットワークエンティティ１２０による通信は、その帯域上で動作するＷｉ−Ｆｉデバイスからの干渉にさらされ得る。便宜上、無認可ＲＦ帯域上のＬＴＥは、ここで無認可スペクトルにおけるＬＴＥ／ＬＴＥアドバンスト、または周辺のコンテキストにおいて単にＬＴＥ（simply LTE in the surrounding context）と称され得る。
【００２４】
[0029]  ネットワークエンティティ１２０がＵＥ１１５にダウンリンク送信を送るとき、ダウンリンク周波数帯域上の割り当てられたリソースが利用される。例えば、無認可または共有ＲＦ帯域において動作するネットワークエンティティ１２０は、ダウンリンクデータ送信が送られ得る無線ベアラ（ＲＢ）のインタレースを割り当てられ得る。コンテンションベースのダウンリンクチャネル（a contention based downlink channel）において他の複数のネットワークエンティティとの衝突を避けるために、ネットワークエンティティ１２０は、プリアンブルを送り得る。便宜上、無認可ＲＦ帯域上のＬＴＥは、ここで無認可スペクトルにおけるＬＴＥ／ＬＴＥアドバンスト、ＬＴＥライセンスアシステッドアクセス（ＬＴＥ−ＬＡＡ：LTE-license assisted access）、または周辺のコンテキストにおいて単にＬＴＥと称され得る。また、無認可スペクトル上で動作するＬＴＥは、共有媒体を使用するコンテンションベースの通信システムにおいて動作するためのＬＴＥの修正または使用に関係し得る（refer to）。
【００２５】
[0030]  いくつかのシステムでは、無認可スペクトルにおけるＬＴＥは、すべてのキャリアが排他的にワイヤレススペクトルの無認可部分において動作する状態で、スタンドアロン構成において用いられ得る（例えば、ＬＴＥスタンドアロン）。他のシステムでは、無認可スペクトルにおけるＬＴＥは、ワイヤレススペクトルの認可部分において動作するアンカー認可キャリア（an anchor licensed carrier）と併せてワイヤレススペクトルの無認可部分において動作する１つまたは複数の無認可キャリアを提供することによって、認可帯域動作に対して補足的である方法で用いられ得る（例えば、ＬＴＥ補足ダウンリンク（ＳＤＬ：LTE Supplemental DownLink））。何れの場合も、キャリアアグリゲーションは、１つのキャリアが、対応するＵＥのためのプライマリセル（Ｐセル）としての機能を果たし（例えば、ＬＴＥ  ＳＤＬにおけるアンカー認可キャリアまたはＬＴＥスタンドアロンにおける無認可キャリアのうちの指定された１つ）、残りのキャリアが、それぞれのセカンダリセル（Ｓセル）としての役割を果たす状態で、異なるコンポーネントキャリアを管理するために用いられ得る。このような方法で、Ｐセルは、ＦＤＤのペアのダウンリンクおよびアップリンク（an FDD paired downlink and uplink）（認可または無認可）を提供し得、および各Ｓセルは、望まれる追加的なダウンリンク容量を提供し得る。
【００２６】
[0031]  一般に、ＬＴＥは、ダウンリンク上では直交周波数分割多重（ＯＦＤＭ）を、アップリンク上では単一キャリア周波数分割多重（ＳＣ−ＦＤＭ）を利用する。ＯＦＤＭおよびＳＣ−ＦＤＭは、システム帯域幅を複数の（Ｋ個の）直交サブキャリアに区分し、それらはまた通常ト−ン、ビン等と称される。各サブキャリアは、データで変調され得る。一般に、変調シンボルは、周波数領域ではＯＦＤＭで送られ、時間領域ではＳＣ−ＦＤＭで送られる。隣接した（adjacent）複数のサブキャリア間の間隔（spacing）は、固定的なものであり得、およびサブキャリアの総数（Ｋ）は、システム帯域幅に依存し得る。例えば、Ｋは、１．２５、２．５、５、１０または２０メガヘルツ（ＭＨｚ）のシステム帯域幅に関してそれぞれ１２８、２５６、５１２、１０２４または２０４８に等しい可能性がある。システム帯域幅はまた、サブバンドに区分され得る。例えば、サブバンドは、１．０８ＭＨｚをカバーし得、１．２５、２．５、５、１０または２０ＭＨｚのシステム帯域幅に関してそれぞれ１、２、４、８または１６個のサブバンドがあり得る。
【００２７】
[0032]  ＬＴＥはまた、キャリアアグリゲーションを使用し得る。ＵＥ（例えば、ＬＴＥアドバンスト使用可能ＵＥ）は、送信および受信のために使用される合計１００ＭＨｚまでのキャリアアグリゲーションに割り振られる２０ＭＨｚまでの帯域幅のスペクトル（５つのコンポーネントキャリア）を使用し得る。ＬＴＥアドバンスト使用可能ワイヤレス通信システムに関して、２つのタイプのキャリアアグリゲーション（ＣＡ）方法、つまり連続的なＣＡおよび非連続的なＣＡ、が提案されている。連続的なＣＡは、複数の利用可能なコンポーネントキャリアが互いに隣接するとき、発生する。一方、非連続的なＣＡは、複数の隣接しない利用可能なコンポーネントキャリアが周波数帯域に沿って分かれているとき、発生する。非連続的なＣＡと連続的なＣＡの両方は、単一のユニットのＬＴＥアドバンストのＵＥにサービス提供するために複数のコンポーネントキャリアをアグリゲートし得る。
【００２８】
[0033]  システム１００のような融合した無線環境（a blended radio environment）では、異なるＲＡＴは、異なる時間において異なるチャネルを利用し得る（make use of）。異なるＲＡＴはスペクトルを共有し、および他のものとは部分的に独立して動作しているので、１つのチャネルへのアクセスは、別のチャネルへのアクセスの意味を含まない（not imply）可能性がある。したがって、複数のチャネルを使用して送信することが可能なデバイスは、送信の前に、各チャネルが利用可能かどうか決定することを必要とし得る。帯域幅およびスループットを増やすために、いくつかの状況では、（１つまたは複数の）現在利用可能なチャネルを使用して送信するのではなく、追加的なチャネルが利用可能になるのを待つことが、有益であり得る。
【００２９】
[0034]  同様に、図１Ｂに関して、ネットワークエンティティ１２０は、メモリ４５、１つまたは複数のプロセッサ２１、およびトランシーバ６１を含み得る。メモリ４５、１つまたは複数のプロセッサ２１、およびトランシーバ６１は、図１Ａに説明されたＵＥ１１５のメモリ４４、１つまたは複数のプロセッサ２０、およびトランシーバ６０と同じおよび／または同様の方法で動作し得る。さらに、メモリ４５、１つまたは複数のプロセッサ２１、およびトランシーバ６１は、限定するわけではないがモデム１６６を有する第１のＲＡＴ無線１６１、モデム１７６を有する第２のＲＡＴ無線１７１、およびアンテナ６５を含む同じおよび／または同様のコンポーネントを動作させ得る。また、メモリ４５、１つまたは複数のプロセッサ２１、およびトランシーバ６１は、バス１２を介して内部で通信し得る。さらに、バス１２を介して内部で通信するメモリ４５、１つまたは複数のプロセッサ２１、およびトランシーバ６１は、１つまたは複数の構造化されたチャネルラスタを使用して、ＷＷＡＮに関して無認可スペクトル上で周波数走査を実行するように構成され得る。
【００３０】
[0035]  図１Ａに戻ると、上述したように、一態様では、システム１００は、ＵＥ１１５を含み得、そのＵＥ１１５は、識別コンポーネント１２６および走査コンポーネント１２７を有するチャネルラスタコンポーネント１２５を含み得る。例えば、識別コンポーネント１２６は、キャリア周波数のセット１３１から決定される第１のチャネルラスタ１２８を識別するための手段を含み得る。一態様では、第１のチャネルラスタ１２８は、ＵＥ１１５によってサポートされるＷＷＡＮに関連するチャネルラスタ動作および／または機能をサポートするために使用されるＷＷＡＮサポートコンポーネント１３２（以下、ＷＷＡＮ１３２と称す）に関して無認可スペクトル上で使用される。別の態様では、第１のチャネルラスタ１２８は、ＷＬＡＮ（例えば、Ｗｉ−Ｆｉネットワーク）に関して無認可スペクトル上で使用されている第２のチャネルラスタ１２９（例えば、図４におけるＷｉ−Ｆｉチャネルラスタ参照）にアラインされる。第１のチャネルラスタ１２８は、キャリアアグリゲーションを使用するＷＷＡＮ１３２に関する第１のチャネルラスタパターンに対応し得る（例えば、図４におけるキャリアアグリゲーション（ＣＡ）パターン１  ４０８を使用する無認可スペクトル上のＬＴＥ参照）。別の態様では、第１のチャネルラスタ１２８は、キャリアアグリゲーションを使用するＷＷＡＮ１３２に関する第１のチャネルラスタパターンに対応し得る。さらに、第３のチャネルラスタ１３０は、キャリア周波数のセット１３１から決定され得、およびＵＥ１１５によってサポートされるＷＷＡＮ１３２に関して無認可スペクトル上で使用され得る。第３のチャネルラスタ１３０は、第１のチャネルラスタパターンとは異なるキャリアアグリゲーション（例えば、図４におけるＣＡパターン２  ４１２を使用する無認可スペクトル上のＬＴＥ参照）を使用するＷＷＡＮ１３２に関する第２のチャネルラスタパターンに対応し得る。いくつかの態様では、第１のチャネルラスタパターンは、第２のチャネルラスタパターンからオフセットされ得る。無認可スペクトル上のＬＴＥで使用するためのここに説明される様々なチャネルラスタは、構造化されたチャネルラスタと称され得る。
【００３１】
[0036]  別の態様では、識別コンポーネント１２６は、キャリア周波数のセット１３１がキャリア周波数の複数のサブセットを含むとき、第１のチャネルラスタ１２８を処理する（handle）ように構成され得、ここで、各サブセットは第２のチャネルラスタ１２９におけるキャリア周波数にアラインされ、各サブセットは互いのサブセットと同じ数のキャリア周波数を有し、各サブセット内のキャリア周波数は等しく間隔を空けられ（spaced）（例えば、周波数において）、第１のラスタチャネル１２８はキャリア周波数の複数のサブセットから決定される。例えば、一態様では、１つのサブセットにおけるキャリア周波数の数は５つ（５）であり得、およびサブセットにおけるキャリア周波数間の間隔は１００ｋＨｚである。しかしながら、他の数のキャリア周波数（例えば、３、７、９等）もまた使用され得、ならびに異なる周波数間隔も使用され得る。
【００３２】
[0037]  一態様では、ダウンリンク動作等に関して、第１のチャネルラスタ１２８は、以下の式に基づいて決定されるキャリア周波数を含む。
【数１】
2020114001.tif 000004
ここでＦＤＬはダウンリンクキャリア周波数に対応し、ＦＤＬ＿ｌｏｗはダウンリンク動作帯域の最も低い周波数に対応し、ＮＤＬは、それぞれのダウンリンクＥ−ＵＴＲＡ絶対無線周波数チャネル番号（ＥＡＲＦＣＮ）に対応し、ＮＯｆｆｓ＿ＤＬはダウンリンクＥＡＲＦＣＮを計算するために使用されるオフセットに対応する。この態様では、サブセットにおけるキャリア周波数の数は５つ（５）に設定されるが、他の数のキャリア周波数（例えば、３、７、９等）も、構成に基づいて使用され得る。さらに、この式は、ＮＤＬおよびＮＯｆｆｓ＿ＤＬに基づいてフロア（the floor）を計算し、ここにおいて、ｆｌｏｏｒ関数（the floor function）は各要素ｘ（例えば、ｆｌｏｏｒ（ｘ）、ここでｘがその要素に対応する）を、その要素以下の最も近い整数（すなわち、次により小さい整数（the next smaller integer）に丸める（rounds）。また、ｒｅｍ関数（the rem function）は、その関数内の要素の除算後の余り（例えば、ｒｅｍ（ｘ，ｙ）、ここでｘおよびｙがそれら要素に対応する）を計算する。この態様では、ｒｅｍ関数によって使用されるサブセットにおけるキャリア周波数の数は、５つ（５）に設定されるが、他の数のキャリア周波数も使用され得る。加えて、この式は、ｆｌｏｏｒ関数に２０ＭＨｚを掛け、およびｒｅｍ関数に０．１ＭＨｚを掛けて、ＦＤＬを計算する。しかしながら、これらの定数は、設定可能（configurable）であり得る。
【００３３】
[0038]  別の態様では、アップリンク動作等に関して、第１のチャネルラスタ１２８は、以下の式に基づいて決定されるキャリア周波数を含む。
【数２】
2020114001.tif 000005
ここでＦＵＬはアップリンクキャリア周波数に対応し、ＦＵＬ＿ｌｏｗはアップリンク動作帯域の最も低い周波数に対応し、ＮＵＬはそれぞれのアップリンクＥＡＲＦＣＮに対応し、ＮＯｆｆｓ＿ＵＬはアップリンクＥＡＲＦＣＮを計算するために使用されるオフセットに対応する。この態様では、サブセットにおけるキャリア周波数の数は５つ（５）に設定されるが、他の数のキャリア周波数（例えば、３、７、９等）も、構成に基づいて使用され得る。さらに、この式は、ＮＵＬおよびＮＯｆｆｓ＿ＵＬに基づいてフロア（the floor）を計算し、ここにおいて、ｆｌｏｏｒ関数は各要素ｘ（例えば、ｆｌｏｏｒ（ｘ）、ここでｘがその要素に対応する）を、その要素以下の最も近い整数（すなわち、次により小さい整数）に丸める。また、ｒｅｍ関数は、その関数内の要素の除算後の余り（例えば、ｒｅｍ（ｘ，ｙ）、ここでｘおよびｙがそれら要素に対応する）を計算する。この態様では、ｒｅｍ関数によって使用されるサブセットにおけるキャリア周波数の数は５つ（５）に設定されるが、他の数のキャリア周波数も使用され得る。加えて、この式は、ｆｌｏｏｒ関数に２０ＭＨｚを掛け、およびｒｅｍ関数に０．１ＭＨｚを掛けて、ＦＵＬを計算する。しかしながら、これらの定数は、設定可能であり得る。
【００３４】
[0039]  一態様では、走査コンポーネント１２７は、第１のチャネルラスタ１２８を使用して、ＷＷＡＮ１３２に関して無認可スペクトル上で周波数走査を実行するための手段を含み得る。例えば、走査コンポーネント１２７は、トランシーバ６０における第２のＲＡＴ無線１７０を、第１のチャネルラスタ１２８を使用して無認可スペクトル上でＷＷＡＮ１３２を走査するように構成し得る。この態様では、第２のＲＡＴ無線１７０は、無認可スペクトル上でＷＷＡＮ（例えば、ＷＷＡＮ１３２）に関連し得、通信チャネル１０２上でネットワークエンティティ１２０に信号を送信するおよびネットワークエンティティ１２０から信号を受信するために、１つまたは複数のアンテナ６４（例えば、アンテナ６４−ｂ）を利用し得る。
【００３５】
[0040]  図１Ｂに戻ると、一態様では、ネットワークエンティティ１２０は、識別コンポーネント１３６および走査コンポーネント１３７を有するチャネルラスタコンポーネント１３５を含み得る。例えば、識別コンポーネント１３６は、キャリア周波数のセット１４１から決定される第１のチャネルラスタ１３８を識別するための手段を含み得る。第１のチャネルラスタ１３８は、ネットワークエンティティ１２０によってサポートされるＷＷＡＮに関連するチャネルラスタ動作および／または機能をサポートするために使用されるＷＷＡＮサポートコンポーネント１４２（以下、ＷＷＡＮ１４２と称す）に関して無認可スペクトル上で使用され得、第１のチャネルラスタ１３８は、ＷＬＡＮ（例えば、Ｗｉ−Ｆｉネットワーク）に関して無認可スペクトル上で使用されている第２のチャネルラスタ１３９（例えば、図４におけるＷｉ−Ｆｉチャネルラスタ参照）にアラインされ得る。第１のチャネルラスタ１３８は、キャリアアグリゲーションを使用するＷＷＡＮ１４２に関する第１のチャネルラスタパターンに対応し得る（例えば、図４におけるＣＡパターン１  ４０８を使用する無認可スペクトルにおけるＬＴＥ参照）。別の態様では、第１のチャネルラスタ１３８は、キャリアアグリゲーションを使用するＷＷＡＮ１４２に関する第１のチャネルラスタパターンに対応し得る。さらに、第３のチャネルラスタ１４０は、キャリア周波数のセット１４１から決定され得、ネットワークエンティティ１２０によってサポートされるＷＷＡＮ１４２に関して無認可スペクトル上で使用され、および第３のチャネルラスタ１４０は、第１のチャネルラスタパターンとは異なるキャリアアグリゲーションを使用するＷＷＡＮ１４２に関する第２のチャネルラスタパターンに対応し得る（例えば、図４におけるＣＡパターン２  ４１２を使用する無認可スペクトルにおけるＬＴＥ参照）。いくつかの態様では、第１のチャネルラスタパターンは、第２のチャネルラスタパターンからオフセットされ得る。無認可スペクトル上のＬＴＥで使用するためのここに説明される様々なチャネルラスタは、構造化されたチャネルラスタと称され得る。
【００３６】
[0041]  別の態様では、識別コンポーネント１３６は、キャリア周波数のセット１４１がキャリア周波数の複数のサブセットを含むとき、第１のチャネルラスタ１３８を処理するように構成され得、ここで、各サブセットは第２のチャネルラスタ１３９におけるキャリア周波数にアラインされ、各サブセットは互いのサブセットと同じ数のキャリア周波数を有し、各サブセット内のキャリア周波数は等しく間隔を空けられ（例えば、周波数において）、第１のチャネルラスタ１３８はキャリア周波数の複数のサブセットから決定される。限定しない例において、サブセットにおけるキャリア周波数の数は５つ（５）であり、サブセットにおけるキャリア周波数間の間隔は、１００ｋＨｚである。しかしながら、他の数のキャリア周波数（例えば、３、７、９等）もまた使用され得、ならびに異なる周波数間隔も使用され得る。
【００３７】
[0042]  別の態様では、ダウンリンク動作等に関して、第１のチャネルラスタは、上述したように、式（１）に基づいて決定されるキャリア周波数を含む。
【００３８】
[0043]  別の態様では、アップリンク動作等に関して、第１のチャネルラスタ１２８は、上述したように、式（２）に基づいて決定されたキャリア周波数を含む。
【００３９】
[0044]  図２を参照すると、本願の装置および方法によるチャネルラスタコンポーネント１２５（図１Ａ）の態様の１つまたは複数の動作の例が、１つまたは複数の方法およびこれらの方法のアクションを実行し得る１つまたは複数のコンポーネントを参照して説明される。以下に説明される動作は、特定の順序で、および／または例示的なコンポーネントによって実行されるものとして提示されるが、これらのアクションの順序およびこれらのアクションを実行するコンポーネントは、インプリメンテーションに応じて変わり得ることは理解されるべきである。また、チャネルラスタコンポーネント１２５は、いくつかのサブコンポーネントを有するように例示されるが、例示されたサブコンポーネントのうちの１つまたは複数は、チャネルラスタコンポーネント１２５と、および／または、互いに、通信していながらも分離され（separate from）得ることは理解されるべきである。また、チャネルラスタコンポーネント１２５および／またはそれのサブコンポーネントに関して説明される以下のアクションまたはコンポーネントは、特別にプログラムされたプロセッサ、つまり特別にプログラムされたソフトウェアまたはコンピュータ読み取り可能な媒体を実行するプロセッサによって、あるいは、説明されたアクションまたはコンポーネントを実行するために特別に構成されたソフトウェアコンポーネントおよび／またはハードウェアコンポーネントの任意の他の組み合せによって、実行され得ることは、理解されるべきである。
【００４０】
[0045]  一態様では、ブロック２１０において、方法２００は、キャリア周波数のセットから決定される第１のチャネルラスタを識別することを含み、ここで、第１のチャネルラスタは、ＵＥによってサポートされるＷＷＡＮに関して無認可スペクトル上で使用され、およびＷＬＡＮに関して無認可スペクトル上で使用される第２のチャネルラスタにアラインされる。一態様では、例えば、ＵＥ１１５は、キャリア周波数のセット１３１から決定される第１のチャネルラスタ１２８を識別するためにチャネルラスタコンポーネント１２５（図１Ａ）および／または識別コンポーネント１２６を実行し得、ここで、第１のチャネルラスタ１２８は、ＵＥ１１５によってサポートされるＷＷＡＮ１３２に関して無認可スペクトル上で使用され、およびＷＬＡＮに関して無認可スペクトル上で使用される第２のチャネルラスタ１２９にアラインされる。
【００４１】
[0046]  一態様では、ブロック２２０において、方法２００は、第１のチャネルラスタを使用して、ＷＷＡＮに関して無認可スペクトル上で周波数走査を実行することを含む。一態様では、例えば、ＵＥ１１５は、第１のチャネルラスタ１２８を使用して、ＷＷＡＮ１３２に関して無認可スペクトル上で周波数走査を実行するために、チャネルラスタコンポーネント１２５（図１Ａ）および／または走査コンポーネント１２７を実行し得る。
【００４２】
[0047]  図３を参照すると、本願の装置および方法によるチャネルラスタコンポーネント１３５（図１Ｂ）の態様のおよび／または１つまたは複数の動作の例が、１つまたは複数の方法およびこれらの方法のアクションを実行し得る１つまたは複数のコンポーネントを参照して説明される。以下に説明される動作は、特定の順序で、および／または例示的なコンポーネントによって実行されるものとして提示されるが、これらのアクションの順序およびこれらのアクションを実行するコンポーネントは、インプリメンテーションに応じて変わり得ることは理解されるべきである。また、チャネルラスタコンポーネント１３５は、いくつかのサブコンポーネントを有するように例示されるが、例示されたサブコンポーネントのうちの１つまたは複数は、チャネルラスタコンポーネント１３５と、および／または、互いに、通信していながらも分離され得ることは理解されるべきである。また、チャネルラスタコンポーネント１３５および／またはそれのサブコンポーネントに関して説明される以下のアクションまたはコンポーネントは、特別にプログラムされたプロセッサ、つまり特別にプログラムされたソフトウェアまたはコンピュータ読み取り可能な媒体を実行するプロセッサによって、あるいは、説明されたアクションまたはコンポーネントを実行するために特別に構成されたソフトウェアコンポーネントおよび／またはハードウェアコンポーネントの任意の他の組み合せによって、実行され得ることは、理解されるべきである。
【００４３】
[0048]  一態様では、ブロック３１０において、方法３００は、キャリア周波数のセットから決定される第１のチャネルラスタを識別することを含み、ここで、第１のチャネルラスタは、ネットワークエンティティによってサポートされるＷＷＡＮに関して無認可スペクトル上で使用され、およびＷＬＡＮに関して無認可スペクトル上で使用される第２のチャネルラスタにアラインされる。一態様では、例えば、ネットワークエンティティ１２０は、キャリア周波数のセット１４１から決定される第１のチャネルラスタ１３８を識別するためにチャネルラスタコンポーネント１３５（図１Ｂ）および／または識別コンポーネント１３６を実行し得、ここで、第１のチャネルラスタ１３８は、ネットワークエンティティ１２０によってサポートされるＷＷＡＮ１４２に関して無認可スペクトル上で使用され、およびＷＬＡＮに関して無認可スペクトル上で使用される第２のチャネルラスタ１３９にアラインされる。
【００４４】
[0049]  一態様では、ブロック３２０において、方法３００は、第１のチャネルラスタを使用して、ＷＷＡＮに関して無認可スペクトル上で周波数走査を実行することを含む。一態様では、例えば、ネットワークエンティティ１２０は、第１のチャネルラスタ１３８を使用してＷＷＡＮ１４２に関して無認可スペクトル上で周波数走査を実行するために、チャネルラスタコンポーネント１３５（図１Ｂ）および／または走査コンポーネント１３７を実行し得る。
【００４５】
[0050]  図４は、式（１）および／または（２）に基づいて確立された構造化されたチャネルラスタの例を有する図４００を例示する。例えば、一態様では、構造化されたチャネルラスタ４０２、４０６、および４１０は、図１Ａおよび／または１Ｂの１つまたは複数のチャネルラスタ（例えば、第１のチャネルラスタ１２８／１３８）に対応し得る。Ｗｉ−Ｆｉ４０４に関して、チャネルラスタ４０２は、ＥＡＲＦＣＮ４０４間に間隔４１６を有し得る。ある特定の態様では、間隔４１６は、２０ＭＨｚに対応し得る。別の態様では、無認可スペクトルＣＡパターン−１  ４０８におけるＬＴＥおよび無認可スペクトルＣＡパターン−２  ４１２におけるＬＴＥは、それぞれ間隔４１８および４２０を伴うチャネルラスタ４０６および４１０を含み得る。間隔４１８および４２０は、それぞれ１９．８ＭＨｚおよび２０．１ＭＨｚに対応し得る。また、複数のチャネルラスタパターン（例えば、チャネルラスタ４０６および４１０）が無認可スペクトル上のＬＴＥに関して示されており（例えば、パターン−１  ４０８およびパターン−２  ４１２）、それらはキャリア周波数のサブセット（例えば、図１Ａ／１Ｂのキャリア周波数のセット１３１／１４１のサブセット）から決定され、それらのうちのいくつかは、それらがＥＡＲＦＣＮ４０４の各々の中心周波数においてまたは中心周波数の実質的に近くで発生するという点でＷｉ−Ｆｉ４０４のチャネルラスタ４０２におけるキャリア周波数の各々にアラインされるかまたはキャリア周波数の各々を囲む（surrounding）。ここに説明された無認可スペクトルに関する構造化されたチャネルラスタの様々な態様は、少なくとも図４に例示される例および他の同様の例に基づき得る。
【００４６】
[0051]  図５は、長期的なＴＤＭ通信パターン（a long-term TDM communication pattern）による、循環セルラ動作に関するある特定の態様、キャリア感知および適応送信（ＣＳＡＴ：a Carrier Sensing and Adaptive Transmission）通信スキームを例示する図５００を示す。ＣＳＡＴは、競合するＲＡＴ動作のない（free of）クリーンチャネルが利用可能でないときにさえ無認可スペクトルにおいて共存を容易にするために、必要に応じて、１つまたは複数のＳセル（例えば、図１Ａ／１Ｂのネットワークエンティティ１２０）上で選択的に使用可能にされ得る（enabled）。具体的には、クリーンチャネルが利用可能でない場合に、ＣＳＡＴは、同一チャネルのＷｉ−Ｆｉアクティビティ（co-channel Wi-Fi activities）の長期的なキャリア感知（long-term carrier sensing）に基づいて、無認可スペクトルスモールセルにおいて、適応可能なＴＤＭ送信をＬＴＥに適用するために使用される。ＣＳＡＴは、非常に高密度の展開においてさえ、無認可スペクトルにおけるＬＴＥのネットワークエンティティが隣接の（neighboring）ＷｉＦｉネットワークエンティティとチャネルを公平に共有することができることを保証する。
【００４７】
[0052]  使用可能にされるとき、Ｓセル動作は、所与のＣＳＡＴサイクル（ＴＣＳＡＴ）内で、ＣＳＡＴ  ＯＮ（アクティベートされた）期間とＣＳＡＴ  ＯＦＦ（ディアクティベートされた）期間との間で循環する（cycled between）。１つまたは複数の関連するユーザデバイスは、対応するＭＡＣアクティベート期間とＭＡＣディアクティベート期間との間で同様に循環し得る。時間ＴＯＮの関連するアクティベートされた期間中、無認可帯域上のＳセル送信は、通常、比較的高い送信電力で生じ得る（proceed）。しかしながら、時間ＴＯＦＦの関連するディアクティベートされた期間中、Ｓセルは、構成された状態にとどまるが、無認可帯域上の送信は、競合するＲＡＴに媒体を与える（yield）ために（ならびに、競合するＲＡＴのコロケートされた無線を介して様々な測定を実行するために）減らされるかまたは完全に使用不可能にされる（even fully disabled）。
【００４８】
[0053]  例えば、ＣＳＡＴパターンデューティサイクル（すなわち、ＴＯＮ／ＴＣＳＡＴ）、サイクルタイミング（例えば、各ＣＳＡＴサイクルの開始／停止時間）、およびアクティベート／ディアクティベート期間中の関係のある送信電力を含む、関連するＣＳＡＴパラメータの各々は、ＣＳＡＴ動作を最適化するために現在のシグナリング条件に基づいて適応され得る。例として、Ｗｉ−Ｆｉデバイスによる所与のチャネルの利用度が高い場合、ＬＴＥ無線は、ＬＴＥ無線によるそのチャネルの使用量が減らされるように、ＣＳＡＴパラメータのうちの１つまたは複数を調整し得る。例えば、ＬＴＥ無線は、そのチャネル上のそれの送信デューティサイクルまたは送信電力を減らし得る。逆に、Ｗｉ−Ｆｉデバイスによる所与のチャネルの利用度が低い場合、ＬＴＥ無線は、ＬＴＥ無線によるそのチャネルの使用量が増やされるように、ＣＳＡＴパラメータのうちの１つまたは複数を調整し得る。例えば、ＬＴＥ無線は、そのチャネル上のそれの送信デューティサイクルまたは送信電力を増やし得る。何れの場合も、ＣＳＡＴ  ＯＮ（アクティベートされた）期間は、ユーザデバイスに、各ＣＳＡＴ  ＯＮ（アクティベートされた）期間中に少なくとも１つの測定を実行するための十分な機会を提供するために、十分に長く（例えば、約２００ミリ秒以上に）され得る。
【００４９】
[0054]  ここに提供されるＣＳＡＴスキームは、特に無認可スペクトルにおいて、混合したＲＡＴ共存（mixed RAT co-existence）のためにいくつかの利点を提供（offer）し得る。例えば、ＷＬＡＮ（例えば、Ｗｉ−Ｆｉ）に関連する信号に基づいて通信を適応させることによって、ＷＷＡＮ（例えば、ＬＴＥ）は、他のデバイス（例えば、非Ｗｉ−Ｆｉデバイス）または隣接したチャネルによる外来の干渉に反応（react）することを控えつつ、第１のＲＡＴを使用するデバイスによる同一チャネル（a co-channel）の利用度（utilization）に反応し得る。別の例として、ＣＳＡＴスキームは、用いられる特定のパラメータを調整することによって、１つのＲＡＴを使用するあるデバイスが、別のＲＡＴを使用するデバイスによる同一チャネルの通信（co-channel communications）にどの程度の保護が与えられるべきかを制御することを、可能にする。加えて、そのようなスキームは、下層のＲＡＴ通信プロトコルを変更せずに一般にインプリメントされ得る（implemented）。ＬＴＥシステムでは、例えば、ＣＳＡＴは、ＬＴＥ  ＰＨＹまたはＭＡＣレイヤプロトコルを変更せずに、単にＬＴＥソフトウェアを変更することによって、一般にインプリメントされ得る。
【００５０】
[0055]  全体的なシステム効率を改善するために、ＣＳＡＴサイクルは、少なくとも所与のオペレータ内で、異なるスモールセルにわたって、全体または部分的に同期され得る。例えば、オペレータは、最小ＣＳＡＴ  ＯＮ（アクティベートされた）期間（ＴＯＮ，ｍｉｎ）および最小ＣＳＡＴ  ＯＦＦ（ディアクティベートされた）期間（ＴＯＦＦ，ｍｉｎ）を設定し得る。したがって、ＣＳＡＴ  ＯＮ（アクティベートされた）期間の持続時間および送信電力は異なり得るが、最小ディアクティベーション時間（minimum deactivation times）およびある特定のチャネル選択測定ギャップは、同期され得る。
【００５１】
[0056]  図６は、図５に関して上述したようなＣＳＡＴサイクル中に構造化されたチャネルラスタを使用するための例示的な状況６００を例示する。例えば、構造化されたチャネルラスタは、図１Ａおよび／または１Ｂの１つまたは複数のチャネルラスタ（例えば、第１のチャネルラスタ１２８／１３８）および／または図４のチャネルラスタ４０２、４０６、および４１２に対応し得る。一態様では、状況６００は、図５で説明されたＣＳＡＴサイクル（ＴＣＳＡＴ）に対応し得るＣＳＡＴサイクル６１２中のＬＴＥ送信制御プロトコル／ユーザデータグラムプロトコル（Ｌ−ＴＣＰ／ＵＤＰ）チャネルラスタ６０８の時間期間に対応するインターバル６０２を含む。ある事例では、インターバル６０２は、１０ミリ秒の長さを有し得る。また、状況６００は、インターバル６０４を有するＷＷＡＮボイスオーバインターネットプロトコル（Ｗ−ＶｏＩＰ／ＣｏｎＳｕｐ）６０６を含み得る。ある特定の事例では、インターバル６０４は、一（１）から二（２）ミリ秒に及ぶ長さを有し得る。さらに、ＣＳＡＴサイクル６１２は、Ｌ−ＴＣＰ／ＵＤＰ６０８の後に発生し得るＷ−ＴＣＰ／ＵＤＰ６１０を含み得る。
【００５２】
[0057]  いくつかの態様では、装置または装置の任意のコンポーネントは、ここに教示された機能性を提供するように構成され得る（または動作可能であり得るまたは適応され得る）。これは、例えば、装置またはコンポーネントを、それが機能性を提供することになるように製造する（manufacturing）（例えば、作る（fabricating））ことによって、装置またはコンポーネントを、それが機能性を提供することになるようにプログラミングすることによって、または何らかの他の適切なインプリメンテーション技法の使用を通して、達成され得る。１つの例として、集積回路は、必須の機能性を提供するように作られ得る。別の例として、集積回路は、必須の機能性をサポートするように作られ、そして必須の機能性を提供するように構成（例えば、プログラミングを介して）され得る。さらに別の例として、プロセッサ回路は、必須の機能性を提供するためのコードを実行し得る。
【００５３】
[0058]  例えば、「第１の」、「第２の」等のような指定（designation）を用いた本明細書における要素への如何なる言及も、一般にこれら要素の数量または順序を限定しないことは理解されるべきである。むしろ、これらの指定は、２つ以上の要素またはある要素の事例間での区別の便利な方法として本明細書で使用され得る。したがって、第１の要素および第２の要素への言及は、そこで２つ要素のみが用いられ得ることも、何らかの意味で第１の要素が第２の要素に先行しなければならないことも、意味していない。また、特にそうでないことが述べられていない限り、要素のセットは、１つまたは複数の要素を備え得る。加えて、説明または特許請求の範囲において使用される「Ａ、Ｂ、またはＣのうちの少なくとも１つ」あるいは「Ａ、Ｂ、またはＣのうちの１つまたは複数」あるいは「Ａ、Ｂ、およびＣからなるグループのうちの少なくとも１つ」という形式の用語は、「ＡまたはＢまたはＣまたはこれらの要素の任意の組み合せ」を意味する。例えば、この用語は、Ａ、または、Ｂ、または、Ｃ、あるいは、ＡおよびＢ、または、ＡおよびＣ、あるいは、ＡおよびＢおよびＣ、あるいは、２Ａ、または、２Ｂ、または、２Ｃ等を含み得る。
【００５４】
[0059]  当業者は、情報および信号は、多様な異なる技術および技法の何れを使用しても表され得ることを認識することになる。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらの如何なる組み合せによっても表され得る。
【００５５】
[0060]  さらに、当業者は、ここに開示された態様に関連して説明された様々な例示的な論理ブロック、モジュール、回路、アルゴリズムステップは、電子ハードウェア、コンピュータソフトウェア、またはその両方の組み合せとしてインプリメントされ得ることを認識するだろう。ハードウェアおよびソフトウェアのこの互換性を明確に例示するために、様々な例示的なコンポーネント、ブロック、モジュール、回路、およびステップが、一般にそれらの機能性の観点から上に説明されている。そのような機能性が、ハードウェアとしてインプリメントされるかまたはソフトウェアとしてインプリメントされるかは、特定のアプリケーションおよびシステム全体に課せられる設計制約に依存する。当業者は、説明された機能性を特定のアプリケーションごとに様々な方法でインプリメントし得るが、そのようなインプリメンテーションの決定（decisions）は、本開示の範囲からの逸脱を生じさせるものとして解釈されるべきではない。
【００５６】
[0061]  ここに開示された態様に関連して説明された方法、シーケンスおよび／またはアルゴリズムは、直接的にハードウェアにおいて、プロセッサによって実行されるソフトウェアモジュールにおいて、またはそれら２つの組み合せにおいて、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で既知の任意の他の形式の記憶媒体内に存在し得る。例示的な記憶媒体は、プロセッサが記憶媒体から情報を読み出すことができるように、および記憶媒体へ情報を書き込むことができるように、プロセッサに結合されている。別の方法では、記憶媒体はプロセッサに統合され得る。
【００５７】
[0062]  したがって、本開示の態様は、無認可スペクトルにおける送信に関する動的な帯域幅管理のための方法を具現化するコンピュータ読み取り可能な媒体を含むことができる。したがって、本開示は、例示された例に限定されない。
【００５８】
[0063]  前述の開示は例示的な態様を示すが、添付の特許請求の範囲によって定義される本開示の範囲から逸脱することなく、ここで様々な変更および修正がなされることができることに留意されたい。ここに説明された本開示の態様による方法の請求項の機能、ステップ、および／またはアクションは、特定の順序で実行される必要はない。さらに、ある特定の態様は、単数形で説明され得るまたは特許請求され得るが、単数形への限定が明記されていない限り、複数形が考慮されている。
【図１Ａ】
2020114001.tif 000010
【図１Ｂ】
2020114001.tif 000011
【図２】
2020114001.tif 000012
【図３】
2020114001.tif 000013
【図４】
2020114001.tif 000014
【図５】
2020114001.tif 000015
【図６】
2020114001.tif 000016
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
ワイヤレス通信中の周波数走査のための方法であって、
キャリア周波数のセットから決定される第１のチャネルラスタパターンを識別することと、前記第１のチャネルラスタパターンは、ワイヤレスワイドエリアネットワーク（ＷＷＡＮ）に関して無認可スペクトル上で使用され、前記ＷＷＡＮに関する第１のチャネルラスタに対応し、ここにおいて、前記第１のチャネルラスタパターンは、帯域内キャリアアグリゲーションに関するチャネル間隔を有し、およびワイヤレスローカルエリアネットワーク（ＷＬＡＮ）に関して前記無認可スペクトル上で使用されている、前記第１のチャネルラスタとは異なる第２のチャネルラスタにアラインされ、前記第２のチャネルラスタのアラインメントは、前記無認可スペクトルにおける前記第１のチャネルラスタパターンの少なくとも１つの発展型ユニバーサル地上波無線アクセス（Ｅ−ＵＴＲＡ）絶対無線周波数チャネル番号（ＥＡＲＦＣＮ）の中心周波数において発生し、前記第１のチャネルラスタおよび前記第２のチャネルラスタの各々は、前記無認可スペクトル上で周波数ステップに関してそれぞれの整数倍を確立する、
前記第１のチャネルラスタパターンを使用して、前記ＷＷＡＮに関して前記無認可スペクトル上で前記周波数走査を実行することと、
を備える、方法。
【請求項２】
前記第１のチャネルラスタパターンは、ユーザ装置（ＵＥ）またはネットワークエンティティによってサポートされる前記ＷＷＡＮに関して前記無認可スペクトル上で使用されている、請求項１に記載の方法。
【請求項３】
前記ＷＷＡＮは、ロングタームエボリューション（ＬＴＥ）ネットワークを含む、請求項１に記載の方法。
【請求項４】
前記ＷＬＡＮは、Ｗｉ−Ｆｉネットワークを含む、請求項１に記載の方法。
【請求項５】
キャリア周波数の前記セットは、キャリア周波数の複数のサブセットを含み、
各サブセットは、前記第２のチャネルラスタにおけるキャリア周波数を中心とし、
各サブセットは、互いのサブセットと同じ数のキャリア周波数を有し、
各サブセット内の前記キャリア周波数は、等しく間隔を空けられ、
前記第１のチャネルラスタパターンは、キャリア周波数の前記複数のサブセットから選択されたキャリア周波数のみを含む、
請求項１に記載の方法。
【請求項６】
サブセットにおけるキャリア周波数の前記数は５つ（５）であり、サブセットにおけるキャリア周波数間の前記間隔は、１００ｋＨｚである、請求項５に記載の方法。
【請求項７】
ダウンリンク動作に関して、前記第１のチャネルラスタパターンは、以下の式に基づいて決定されるキャリア周波数のみを含み、
【数１】
2020114001.tif 000017
ここで、ＦＤＬ＿ｌｏｗは開始キャリア周波数であり、ＮＤＬはそれぞれのＥＡＲＦＣＮであり、ＮＯｆｆｓｅｔ＿ＤＬは開始ＥＡＲＦＣＮである、請求項１に記載の方法。
【請求項８】
ワイヤレス通信中の周波数走査のための装置であって、
キャリア周波数のセットから決定される第１のチャネルラスタパターンを識別するための手段と、前記第１のチャネルラスタパターンは、ワイヤレスワイドエリアネットワーク（ＷＷＡＮ）に関して無認可スペクトル上で使用され、前記ＷＷＡＮに関する第１のチャネルラスタに対応し、ここにおいて、前記第１のチャネルラスタパターンは、帯域内キャリアアグリゲーションに関するチャネル間隔を有し、およびワイヤレスローカルエリアネットワーク（ＷＬＡＮ）に関して前記無認可スペクトル上で使用されている、前記第１のチャネルラスタとは異なる第２のチャネルラスタにアラインされ、前記第２のチャネルラスタのアラインメントは、前記無認可スペクトルにおける前記第１のチャネルラスタパターンの少なくとも１つの発展型ユニバーサル地上波無線アクセス（Ｅ−ＵＴＲＡ）絶対無線周波数チャネル番号（ＥＡＲＦＣＮ）の中心周波数において発生し、前記第１のチャネルラスタおよび前記第２のチャネルラスタの各々は、前記無認可スペクトル上で周波数ステップに関してそれぞれの整数倍を確立する、
前記第１のチャネルラスタパターンを使用して、前記ＷＷＡＮに関して前記無認可スペクトル上で前記周波数走査を実行するための手段と、
を備える、装置。
【請求項９】
前記第１のチャネルラスタパターンは、ユーザ装置（ＵＥ）またはネットワークエンティティによってサポートされる前記ＷＷＡＮに関して前記無認可スペクトル上で使用されている、請求項８に記載の装置。
【請求項１０】
ダウンリンク動作に関して、前記第１のチャネルラスタパターンは、以下の式に基づいて決定されるキャリア周波数のみを含み、
【数２】
2020114001.tif 000018
ここで、ＦＤＬ＿ｌｏｗは開始キャリア周波数であり、ＮＤＬはそれぞれのＥＡＲＦＣＮであり、ＮＯｆｆｓｅｔ＿ＤＬは開始ＥＡＲＦＣＮである、請求項８に記載の装置。
【請求項１１】
ワイヤレス通信中の周波数走査のためのコンピュータによって実行可能なコードを記憶した非一時的なコンピュータ読み取り可能な媒体であって、
キャリア周波数のセットから決定される第１のチャネルラスタパターンを識別するためのコードと、前記第１のチャネルラスタパターンは、ワイヤレスワイドエリアネットワーク（ＷＷＡＮ）に関して無認可スペクトル上で使用され、前記ＷＷＡＮに関する第１のチャネルラスタに対応し、ここにおいて、前記第１のチャネルラスタパターンは、帯域内キャリアアグリゲーションに関するチャネル間隔を有し、およびワイヤレスローカルエリアネットワーク（ＷＬＡＮ）に関して前記無認可スペクトル上で使用されている、前記第１のチャネルラスタとは異なる第２のチャネルラスタにアラインされ、前記第２のチャネルラスタのアラインメントは、前記無認可スペクトルにおける前記第１のチャネルラスタパターンの少なくとも１つの発展型ユニバーサル地上波無線アクセス（Ｅ−ＵＴＲＡ）絶対無線周波数チャネル番号（ＥＡＲＦＣＮ）の中心周波数において発生し、前記第１のチャネルラスタおよび前記第２のチャネルラスタの各々は、前記無認可スペクトル上で周波数ステップに関してそれぞれの整数倍を確立する、
前記第１のチャネルラスタパターンを使用して、前記ＷＷＡＮに関して前記無認可スペクトル上で前記周波数走査を実行するためのコードと、
を備える、非一時的なコンピュータ読み取り可能な媒体。
【請求項１２】
前記第１のチャネルラスタパターンは、ユーザ装置（ＵＥ）またはネットワークエンティティによってサポートされる前記ＷＷＡＮに関して前記無認可スペクトル上で使用される、請求項１１に記載の非一時的なコンピュータ読み取り可能な媒体。
【請求項１３】
ダウンリンク動作に関して、前記第１のチャネルラスタパターンは、以下の式に基づいて決定されるキャリア周波数のみを含み、
【数３】
2020114001.tif 000019
ここで、ＦＤＬ＿ｌｏｗは開始キャリア周波数であり、ＮＤＬはそれぞれのＥＡＲＦＣＮであり、ＮＯｆｆｓｅｔ＿ＤＬは開始ＥＡＲＦＣＮである、請求項１１に記載の非一時的なコンピュータ読み取り可能な媒体。
【請求項１４】
ワイヤレス通信中の周波数走査のための装置であって、
トランシーバと、
データを記憶するように構成されるメモリと、
少なくとも１つのバスを介して前記トランシーバおよび前記メモリに通信的に結合された１つまたは複数のプロセッサと、
を備え、
ここにおいて、前記１つまたは複数のプロセッサおよび前記メモリは、
キャリア周波数のセットから決定される第１のチャネルラスタパターンを識別することと、前記第１のチャネルラスタパターンは、ワイヤレスワイドエリアネットワーク（ＷＷＡＮ）に関して無認可スペクトル上で使用され、前記ＷＷＡＮに関する第１のチャネルラスタに対応し、ここにおいて、前記第１のチャネルラスタパターンは、帯域内キャリアアグリゲーションに関するチャネル間隔を有し、およびワイヤレスローカルエリアネットワーク（ＷＬＡＮ）に関して前記無認可スペクトル上で使用されている、前記第１のチャネルラスタとは異なる第２のチャネルラスタにアラインされ、前記第２のチャネルラスタのアラインメントは、前記無認可スペクトルにおける前記第１のチャネルラスタパターンの少なくとも１つの発展型ユニバーサル地上波無線アクセス（Ｅ−ＵＴＲＡ）絶対無線周波数チャネル番号（ＥＡＲＦＣＮ）の中心周波数において発生し、前記第１のチャネルラスタおよび前記第２のチャネルラスタの各々は、前記無認可スペクトル上で周波数ステップに関してそれぞれの整数倍を確立する、
前記トランシーバを介して、前記第１のチャネルラスタパターンを使用して、前記ＷＷＡＮに関して前記無認可スペクトル上で前記周波数走査を実行することと、
を行うように構成される、装置。
【請求項１５】
前記第１のチャネルラスタパターンは、ユーザ装置（ＵＥ）またはネットワークエンティティによってサポートされる前記ＷＷＡＮに関して前記無認可スペクトル上で使用されている、請求項１４に記載の装置。
【請求項１６】
前記ＷＷＡＮは、ロングタームエボリューション（ＬＴＥ）ネットワークを含む、請求項１４に記載の装置。
【請求項１７】
前記ＷＬＡＮは、Ｗｉ−Ｆｉネットワークを含む、請求項１４に記載の装置。
【請求項１８】
キャリア周波数の前記セットは、キャリア周波数の複数のサブセットを含み、
各サブセットは、前記第２のチャネルラスタにおけるキャリア周波数を中心とし、
各サブセットは、互いのサブセットと同じ数のキャリア周波数を有し、
各サブセット内の前記キャリア周波数は、等しく間隔を空けられ、
前記第１のチャネルラスタパターンは、キャリア周波数の前記複数のサブセットから選択されたキャリア周波数のみを含む、
請求項１４に記載の装置。
【請求項１９】
サブセットにおけるキャリア周波数の前記数は５つ（５）であり、サブセットにおけるキャリア周波数間の前記間隔は、１００ｋＨｚである、請求項１８に記載の装置。
【請求項２０】
ダウンリンク動作に関して、前記第１のチャネルラスタパターンは、以下の式に基づいて決定されるキャリア周波数のみを含み、
【数４】
2020114001.tif 000020
ここで、ＦＤＬ＿ｌｏｗは開始キャリア周波数であり、ＮＤＬはそれぞれのＥＡＲＦＣＮであり、ＮＯｆｆｓｅｔ＿ＤＬは開始ＥＡＲＦＣＮである、請求項１４に記載の装置。
【請求項２１】
前記キャリアアグリゲーションは、３００ｋＨｚの整数倍であるチャネル間の間隔を有する帯域内隣接キャリアアグリゲーションに対応する、請求項１に記載の方法。
【請求項２２】
前記キャリアアグリゲーションは、３００ｋＨｚの整数倍であるチャネル間の間隔を有する帯域内隣接キャリアアグリゲーションに対応する、請求項８に記載の装置。
【請求項２３】
前記キャリアアグリゲーションは、３００ｋＨｚの整数倍であるチャネル間の間隔を有する帯域内隣接キャリアアグリゲーションに対応する、請求項１１に記載の非一時的なコンピュータ読み取り可能な媒体。
【請求項２４】
前記キャリアアグリゲーションは、３００ｋＨｚの整数倍であるチャネル間の間隔を有する帯域内隣接キャリアアグリゲーションに対応する、請求項１４に記載の装置。
【請求項２５】
前記ＷＷＡＮに関して前記無認可スペクトル上で使用されるべきキャリア周波数の前記セットから第２のチャネルラスタパターンを決定することと、
ここにおいて、前記第２のチャネルラスタパターンは、キャリアアグリゲーションに関するチャネル間隔を有し、および前記第１のチャネルラスタパターンとは異なる、
前記第２のチャネルラスタパターンを使用して前記ＷＷＡＮに関して前記無認可スペクトル上で前記周波数走査を実行することと、
をさらに備える、請求項１に記載の方法。
【請求項２６】
前記第１のチャネルラスタパターンは、前記第２のチャネルラスタパターンからオフセットされる、請求項２５に記載の方法。
【請求項２７】
前記識別するための手段は、キャリアアグリゲーションに関するチャネル間隔を有し、および前記第１のチャネルラスタパターンとは異なる第２のチャネルラスタパターンを決定するように構成され、
前記周波数走査を実行する前記実行するための手段は、前記第２のチャネルラスタパターンを使用して前記ＷＷＡＮに関して前記無認可スペクトル上で周波数走査を実行するように構成される、
請求項８に記載の装置。
【請求項２８】
前記ＷＷＡＮに関して前記無認可スペクトル上で使用されるべきキャリア周波数の前記セットから第２のチャネルラスタパターンを決定することと、
ここにおいて、前記第２のチャネルラスタパターンは、キャリアアグリゲーションに関するチャネル間隔を有し、および前記第１のチャネルラスタパターンとは異なる、
前記第２のチャネルラスタパターンを使用して前記ＷＷＡＮに関して前記無認可スペクトル上で前記周波数走査を実行することと、
を行うためのコードさらに備える、請求項１１に記載の非一時的なコンピュータ読み取り可能な媒体。
【請求項２９】
前記１つまたは複数のプロセッサおよび前記メモリは、
前記ＷＷＡＮに関して前記無認可スペクトル上で使用されるべきキャリア周波数の前記セットから第２のチャネルラスタパターンを決定することと、
ここにおいて、前記第２のチャネルラスタパターンは、キャリアアグリゲーションに関するチャネル間隔を有し、および前記第１のチャネルラスタパターンとは異なる、
前記第２のチャネルラスタパターンを使用して前記ＷＷＡＮに関して前記無認可スペクトル上で前記周波数走査を実行することと、
を行うように構成される、請求項１４に記載の装置。
【請求項３０】
前記第１のチャネルラスタパターンは、前記第２のチャネルラスタパターンからオフセットされる、請求項２９に記載の装置。
【手続補正２】
【補正対象書類名】明細書
【補正対象項目名】００５８
【補正方法】変更
【補正の内容】
【００５８】
[0063]  前述の開示は例示的な態様を示すが、添付の特許請求の範囲によって定義される本開示の範囲から逸脱することなく、ここで様々な変更および修正がなされることができることに留意されたい。ここに説明された本開示の態様による方法の請求項の機能、ステップ、および／またはアクションは、特定の順序で実行される必要はない。さらに、ある特定の態様は、単数形で説明され得るまたは特許請求され得るが、単数形への限定が明記されていない限り、複数形が考慮されている。
以下に本願の出願当初の特許請求の範囲に記載された発明を付記する。
［Ｃ１］
ワイヤレス通信中の周波数走査のための方法であって、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行することと、
を備える、方法。
［Ｃ２］
前記第１のチャネルラスタは、ユーザ装置（ＵＥ）またはネットワークエンティティによってサポートされる前記ＷＷＡＮに関して前記無認可スペクトル上のユーザである、Ｃ１に記載の方法。
［Ｃ３］
前記第１のチャネルラスタは、キャリアアグリゲーションを使用するＷＷＡＮに関する第１のチャネルラスタパターンに対応する、Ｃ１に記載の方法。
［Ｃ４］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ１に記載の方法。
［Ｃ５］
前記第１のチャネルラスタパターンは、前記第２のチャネルラスタパターンからオフセットされる、Ｃ４に記載の方法。
［Ｃ６］
前記ＷＷＡＮは、ロングタームエボリューション（ＬＴＥ）ネットワークを含む、Ｃ１に記載の方法。
［Ｃ７］
前記ＷＬＡＮは、Ｗｉ−Ｆｉネットワークを含む、Ｃ１に記載の方法。
［Ｃ８］
キャリア周波数の前記セットは、キャリア周波数の複数のサブセットを含み、
各サブセットは、前記第２のチャネルラスタにおけるキャリア周波数にアラインされ、
各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定される、
Ｃ１に記載の方法。
［Ｃ９］
サブセットにおけるキャリア周波数の前記数は５つ（５）であり、サブセットにおけるキャリア周波数間の前記間隔は、１００ｋＨｚである、Ｃ８に記載の方法。
［Ｃ１０］
ダウンリンク動作に関して、前記第１のチャネルラスタは、以下の式に基づいて決定されるキャリア周波数を含み、
【数３】
2020114001.tif 000021
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ１に記載の方法。
［Ｃ１１］
ワイヤレス通信中の周波数走査のための装置であって、
キャリア周波数のセットから決定される第１のチャネルラスタを識別するための手段と、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するための手段と、
を備える、装置。
［Ｃ１２］
前記第１のチャネルラスタは、ユーザ装置（ＵＥ）またはネットワークエンティティによってサポートされる前記ＷＷＡＮに関して前記無認可スペクトル上のユーザである、Ｃ１１に記載の装置。
［Ｃ１３］
前記第１のチャネルラスタは、キャリアアグリゲーションを使用するＷＷＡＮに関する第１のチャネルラスタパターンに対応する、Ｃ１１に記載の装置。
［Ｃ１４］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ１１に記載の装置。
［Ｃ１５］
ダウンリンク動作に関して、前記第１のチャネルラスタは、以下の式に基づいて決定されるキャリア周波数を含み、
【数４】
2020114001.tif 000022
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ１１に記載の装置。
［Ｃ１６］
ワイヤレス通信中の周波数走査のためのコンピュータによって実行可能なコードを記憶したコンピュータ読み取り可能な媒体であって、
キャリア周波数のセットから決定される第１のチャネルラスタを識別するためのコードと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するためのコードと、
を備える、コンピュータ読み取り可能な媒体。
［Ｃ１７］
前記第１のチャネルラスタは、ユーザ装置（ＵＥ）またはネットワークエンティティによってサポートされる前記ＷＷＡＮに関して前記無認可スペクトル上のユーザである、Ｃ１６に記載のコンピュータ読み取り可能な媒体。
［Ｃ１８］
前記第１のチャネルラスタは、キャリアアグリゲーションを使用するＷＷＡＮに関する第１のチャネルラスタパターンに対応する、Ｃ１６に記載のコンピュータ読み取り可能な媒体。
［Ｃ１９］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ１６に記載のコンピュータ読み取り可能な媒体。
［Ｃ２０］
ダウンリンク動作に関して、前記第１のチャネルラスタは、以下の式に基づいて決定されるキャリア周波数を含み、
【数５】
2020114001.tif 000023
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ１６に記載のコンピュータ読み取り可能な媒体。
［Ｃ２１］
ワイヤレス通信中の周波数走査のための装置であって、
トランシーバと、
データを記憶するように構成されるメモリと、
少なくとも１つのバスを介して前記トランシーバおよび前記メモリに通信的に結合された１つまたは複数のプロセッサと、
を備え、
ここにおいて、前記１つまたは複数のプロセッサおよび前記メモリは、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記トランシーバを介して、前記第１のチャネルラスタを使用して、前記ＷＷＡＮに関して前記無認可スペクトル上で前記周波数走査を実行することと、
を行うように構成される、装置。
［Ｃ２２］
前記第１のチャネルラスタは、ユーザ装置（ＵＥ）またはネットワークエンティティによってサポートされる前記ＷＷＡＮに関して前記無認可スペクトル上のユーザである、Ｃ２１に記載の装置。
［Ｃ２３］
前記第１のチャネルラスタは、キャリアアグリゲーションを使用するＷＷＡＮに関する第１のチャネルラスタパターンに対応する、Ｃ２１に記載の装置。
［Ｃ２４］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ２１に記載の装置。
［Ｃ２５］
前記第１のチャネルラスタパターンは、前記第２のチャネルラスタパターンからオフセットされる、Ｃ２４に記載の装置。
［Ｃ２６］
前記ＷＷＡＮは、ロングタームエボリューション（ＬＴＥ）ネットワークを含む、Ｃ２１に記載の装置。
［Ｃ２７］
前記ＷＬＡＮは、Ｗｉ−Ｆｉネットワークを含む、Ｃ２１に記載の装置。
［Ｃ２８］
キャリア周波数の前記セットは、キャリア周波数の複数のサブセットを含み、
各サブセットは、前記第２のチャネルラスタにおけるキャリア周波数にアラインされ、
各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定される、
Ｃ２１に記載の装置。
［Ｃ２９］
サブセットにおけるキャリア周波数の前記数は５つ（５）であり、サブセットにおけるキャリア周波数間の前記間隔は、１００ｋＨｚである、Ｃ２８に記載の装置。
［Ｃ３０］
ダウンリンク動作に関して、前記第１のチャネルラスタは、以下の式に基づいて決定されるキャリア周波数を含み、
【数６】
2020114001.tif 000024
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項２１に記載の装置。
【外国語明細書】
2020114001000001.pdf